(57)【特許請求の範囲】
【請求項１】
カラオケ装置及び携帯端末を含むカラオケシステムであって、
前記カラオケ装置は、
利用者のカラオケ歌唱に応じて仮推奨楽曲を選択する選択部と、
選択した前記仮推奨楽曲を前記利用者の携帯端末に配信する配信部と、
を有し、
前記携帯端末は、
複数の楽曲を記憶する楽曲記憶部と、
配信された前記仮推奨楽曲に相当する楽曲が、前記楽曲記憶部に記憶されているかどうかを判断する判断部と、
前記判断結果に基づいて推奨楽曲を特定する特定部と、
特定された前記推奨楽曲を端末側表示部に表示させる表示制御部と、
を有することを特徴とするカラオケシステム。
【請求項２】
前記特定部は、前記楽曲記憶部に記憶されていない曲を前記推奨楽曲として特定することを特徴とする請求項１記載のカラオケシステム。
【請求項３】
前記表示制御部は、前記推奨楽曲のダウンロードに関する情報を前記端末側表示部に表示させることを特徴とする請求項２記載のカラオケシステム。
【請求項４】
前記特定部は、前記楽曲記憶部に記憶されている曲を前記推奨楽曲として特定することを特徴とする請求項１記載のカラオケシステム。
【請求項５】
カラオケ装置及び携帯端末を含むカラオケシステムであって、
前記カラオケ装置は、
利用者のカラオケ歌唱に応じて仮推奨楽曲を選択する選択部と、
選択した前記仮推奨楽曲を前記利用者の携帯端末に配信する配信部と、
装置側表示部に各種情報を表示させる表示制御部と、
を有し、
前記携帯端末は、
複数の楽曲を記憶する楽曲記憶部と、
配信された前記仮推奨楽曲に相当する楽曲が、前記楽曲記憶部に記憶されているかどうかを判断する判断部と、
前記判断結果に基づいて推奨楽曲を特定する特定部と、
特定された前記推奨楽曲を前記カラオケ装置に送信する推奨楽曲送信部と、
を有し、
前記表示制御部は、前記推奨楽曲を前記装置側表示部に表示させることを特徴とするカラオケシステム。
【請求項６】
前記特定部は、前記楽曲記憶部に記憶されていない曲を前記推奨楽曲として特定することを特徴とする請求項５記載のカラオケシステム。
【請求項７】
前記特定部は、前記楽曲記憶部に記憶されている曲を前記推奨楽曲として特定することを特徴とする請求項５記載のカラオケシステム。
【請求項８】
利用者のカラオケ歌唱に応じて仮推奨楽曲を選択するカラオケ装置と通信可能であり、複数の楽曲を記憶する楽曲記憶部及び端末側表示部を有するコンピュータに対し、
配信された前記仮推奨楽曲に相当する楽曲が、前記楽曲記憶部に記憶されているかどうかを判断させ、
前記判断結果に基づいて推奨楽曲を特定させ、
特定した前記推奨楽曲を端末側表示部に表示させるための推奨楽曲提示プログラム。
【発明の詳細な説明】
【技術分野】
【０００１】
本発明は推奨楽曲を提示するカラオケシステム及びプログラムに関する。
【０００２】
カラオケシステムに登録されている楽曲の数は膨大である。従って、ある楽曲を歌唱した歌唱者が次に歌唱する曲を選択するのに時間を要し、スムーズなカラオケ歌唱ができない場合がある。
【０００３】
そこで、歌唱履歴等に基づいて、特定の楽曲を推奨楽曲として提示するレコメンド機能が搭載されたカラオケシステムが普及している。
【０００４】
たとえば、特許文献１には、多くの歌唱者の歌唱履歴から、歌唱者本人と選曲の傾向が似ている歌唱者を特定し、その歌唱者が歌唱しており、且つ歌唱者本人が歌唱していない楽曲をおすすめ曲として通知するカラオケシステムが記載されている。
【先行技術文献】
【特許文献】
【０００５】
【特許文献１】特開２０１５−１１０８０号公報
【発明の概要】
【発明が解決しようとする課題】
【０００６】
ところで、スマートフォン等の携帯端末が普及するにつれて、携帯端末に自分の好みの音楽をダウンロードして聴く機会が増えている。このような携帯端末に記憶されている楽曲は、膨大な数の楽曲の中から利用者の意思で選択したものである。すなわち、携帯端末に記憶されている楽曲は、利用者毎の音楽的嗜好を反映しているものといえる。
【０００７】
本発明の目的は、利用者の音楽的嗜好を元に、カラオケ歌唱時の推奨楽曲を提示することが可能なカラオケシステム及びプログラムを提供することにある。
【課題を解決するための手段】
【０００８】
上記目的を達成するための主たる発明は、カラオケ装置及び携帯端末を含むカラオケシステムであって、前記カラオケ装置は、利用者のカラオケ歌唱に応じて仮推奨楽曲を選択する選択部と、選択した前記仮推奨楽曲を前記利用者の携帯端末に配信する配信部と、を有し、前記携帯端末は、複数の楽曲を記憶する楽曲記憶部と、配信された前記仮推奨楽曲に相当する楽曲が、前記楽曲記憶部に記憶されているかどうかを判断する判断部と、前記判断結果に基づいて推奨楽曲を特定する特定部と、特定された前記推奨楽曲を端末側表示部に表示させる表示制御部と、を有することを特徴とするカラオケシステムである。
本発明の他の特徴については、後述する明細書及び図面の記載により明らかにする。
【発明の効果】
【０００９】
本発明によれば、利用者の音楽的嗜好を元に、カラオケ歌唱時の推奨楽曲を提示することができる。
【図面の簡単な説明】
【００１０】
【図１】第１実施形態に係るカラオケシステムの概略を示す図である。
【図２】第１実施形態に係るカラオケ装置のハードウェア構成例を示す図である。
【図３】第１実施形態に係る装置本体のハードウェア構成例を示す図である。
【図４】第１実施形態に係る携帯端末のハードウェア構成例を示す図である。
【図５】第１実施形態に係るカラオケシステムの処理を示すフローチャートである。
【図６】第２実施形態に係る装置本体のハードウェア構成例を示す図である。
【図７】第２実施形態に係る携帯端末のハードウェア構成例を示す図である。
【図８】第２実施形態に係るカラオケシステムの処理を示すフローチャートである。
【発明を実施するための形態】
【００１１】
後述する明細書及び図面の記載から、上記の主たる発明の他、少なくとも以下の事項が明らかとなる。
【００１２】
前記特定部は、前記楽曲記憶部に記憶されていない曲を前記推奨楽曲として特定するカラオケシステムが明らかとなる。このようなカラオケシステムによれば、利用者が普段聴かない新たな楽曲を推奨楽曲として提示できる。
【００１３】
また、前記表示制御部は、前記推奨楽曲のダウンロードに関する情報を前記端末側表示部に表示させるカラオケシステムが明らかとなる。このようなカラオケシステムによれば、利用者に対して新たな楽曲を入手する機会を提供できる。
【００１４】
また、前記特定部は、前記楽曲記憶部に記憶されている曲を前記推奨楽曲として特定するカラオケシステムが明らかとなる。このようなカラオケシステムによれば、利用者が普段聴いている楽曲を推奨楽曲として提示できる。
【００１５】
或いは、カラオケ装置及び携帯端末を含むカラオケシステムであって、前記カラオケ装置は、利用者のカラオケ歌唱に応じて仮推奨楽曲を選択する選択部と、選択した前記仮推奨楽曲を前記利用者の携帯端末に配信する配信部と、装置側表示部に各種情報を表示させる表示制御部と、を有し、前記携帯端末は、複数の楽曲を記憶する楽曲記憶部と、配信された前記仮推奨楽曲に相当する楽曲が、前記楽曲記憶部に記憶されているかどうかを判断する判断部と、前記判断結果に基づいて推奨楽曲を特定する特定部と、特定された前記推奨楽曲を前記カラオケ装置に送信する推奨楽曲送信部と、を有し、前記表示制御部は、前記推奨楽曲を前記装置側表示部に表示させるカラオケシステムが明らかとなる。このようなカラオケシステムによれば、利用者の音楽的嗜好を元に得られた推奨楽曲をカラオケ装置側で提示することができる。
【００１６】
更には、利用者のカラオケ歌唱に応じて仮推奨楽曲を選択するカラオケ装置と通信可能であり、複数の楽曲を記憶する楽曲記憶部及び端末側表示部を有するコンピュータに対し、配信された前記仮推奨楽曲に相当する楽曲が、前記楽曲記憶部に記憶されているかどうかを判断させ、前記判断結果に基づいて推奨楽曲を特定させ、特定した前記推奨楽曲を端末側表示部に表示させるための推奨楽曲提示プログラムが明らかとなる。このようなプログラムによれば、利用者の携帯端末（コンピュータ）において、当該利用者の音楽的嗜好を元に、カラオケ歌唱時の推奨楽曲を提示することができる。
【００１７】
＜第１実施形態＞
図１〜図５を参照して、第１実施形態に係るカラオケシステム１について説明する。図１に示すように、カラオケシステム１は、カラオケ装置２、サーバ３及び携帯端末４を備える。なお、本実施形態に係る発明としてのカラオケシステム１は、カラオケ装置２及び携帯端末４を含んでいればよい。
【００１８】
＝＝カラオケ装置＝＝
カラオケ装置２は、カラオケ楽曲の演奏及び利用者がカラオケ歌唱を行うための装置である。カラオケ装置２はネットワークＮを介してサーバ３及び携帯端末４と通信可能となっている。ネットワークＮは、たとえば公衆電話回線網やインターネット回線である。たとえば、サーバ３からカラオケ装置２にカラオケを行うための楽曲データが送信され、カラオケ装置２が楽曲を演奏することにより、利用者はカラオケ歌唱が可能となる。
【００１９】
図２は、カラオケ装置２のハードウェア構成例を示す図である。カラオケ装置２は、装置本体２０、音響処理装置２１、スピーカ２２、表示装置２３、マイク２４、リモコン装置２５を備える。
【００２０】
（装置本体）
装置本体２０は、カラオケ楽曲の演奏制御、歌詞テロップおよび背景映像の表示制御、音響処理装置２１を通じて入力されたマイク２４からの音声信号に基づく歌唱採点の処理等、カラオケ歌唱に関する各種の制御を行う。
【００２１】
図３は装置本体２０のハードウェア構成例を示す図である。装置本体２０は、制御部２０ａ、記憶部２０ｂ、通信部２０ｃを有する。各構成はインターフェース（図示なし）を介してバスＢに接続されている。制御部２０ａはＣＰＵおよびメモリ（いずれも図示無し）を備える。ＣＰＵは、メモリに記憶されたプログラムを実行することにより各種の機能を実現する。本実施形態に係る選択部２０１及び配信部２０２は、制御部２０ａのＣＰＵがメモリに記憶されている動作プログラムを実行することにより実現される。
【００２２】
［選択部］
選択部２０１は、利用者のカラオケ歌唱に応じて仮推奨楽曲を選択する。「仮推奨楽曲」は、ある楽曲のカラオケ歌唱を行った利用者に対して、次の歌唱を勧める候補となる楽曲である。
【００２３】
選択部２０１による選択処理は、カラオケ歌唱に際して「おすすめ楽曲」を提示する公知の手法を用いることができる。
【００２４】
たとえば、利用者Ｘが楽曲Ａのカラオケ歌唱を行ったとする。また、サーバ３は、複数のカラオケ装置２における歌唱履歴（楽曲名、及び歌唱順）をそれぞれ記憶しているとする。
【００２５】
この場合、選択部２０１は、サーバ３に記憶された各カラオケ装置２の歌唱履歴を取得する。そして選択部２０１は、利用者Ｘが歌唱した楽曲Ａの次に歌唱された回数が最も多い楽曲Ｂを特定し、楽曲Ｂを仮推奨楽曲として選択する。なお、選択部２０１は、楽曲Ａの次に歌唱された回数が多い順から所定数の楽曲（たとえば、楽曲Ｂ〜楽曲Ｆの５曲）を仮推奨楽曲として選択することでもよい。このように歌唱履歴から仮推奨楽曲を特定する方法は、たとえば、特許第３９２０２０４号公報、特許４０３３９４４号公報の技術を利用することができる。
【００２６】
或いは、選択部２０１は、利用者Ｘがカラオケ歌唱を行った場合に、利用者Ｘの歌唱履歴と選曲の傾向が似ている利用者Ｙを特定し、利用者Ｙの歌唱履歴に含まれており、且つ利用者Ｘの歌唱履歴に含まれていない楽曲を仮推奨楽曲として選択することも可能である。このような方法は、たとえば、特許文献１の技術を利用することができる。
【００２７】
なお、公知の手法に基づいて得られる「おすすめ楽曲」は、利用者に対してそのまま提示される。一方、本実施形態において公知の手法に基づいて選択した「仮推奨楽曲」は、あくまでも最終的な推奨楽曲の候補に過ぎない。
【００２８】
［配信部］
配信部２０２は、選択した仮推奨楽曲を利用者の携帯端末４に配信する。
【００２９】
たとえば、選択部２０１が利用者Ｘのカラオケ歌唱に応じて仮推奨楽曲として楽曲Ｂ〜楽曲Ｆの５曲を選択したとする。この場合、配信部２０２は、通信部２０ｃを介し、楽曲Ｂ〜楽曲Ｆを示す情報（たとえば、それぞれの曲名、歌手名、演奏時間情報）をサーバ３経由で利用者Ｘの携帯端末４に配信する。
【００３０】
記憶部２０ｂは、各種のデータを記憶する大容量の記憶装置である。記憶部２０ｂは、たとえばサーバ３から受信した楽曲データや歌詞テロップデータ、及び背景画像データを記憶する。カラオケ装置２が楽曲データに基づいて楽曲を演奏することにより、歌唱者はカラオケの歌唱が可能となる。
【００３１】
通信部２０ｃは、装置本体２０と携帯端末４とを直接、またはサーバ３を介して間接的に接続するためのインターフェースを提供する。
【００３２】
（音響処理装置、スピーカ、マイク、リモコン装置）
音響処理装置２１は、カラオケ楽曲の演奏処理、及びマイク２４を通じて入力された音声信号の処理を行う。スピーカ２２は音響処理装置２１からの放音信号に基づいて放音するための構成である。表示装置２３は装置本体２０からの信号に基づいて映像や画像を画面に表示するための構成である。マイク２４は歌唱者の音声をアナログの音声信号に変換して音響処理装置２１に入力するための構成である。リモコン装置２５は、カラオケ装置２に対する各種操作をおこなうための装置である。利用者はリモコン装置２５を用いてカラオケ装置２の起動、楽曲の選択等を行うことができる。
【００３３】
＝＝サーバ＝＝
サーバ３は、利用者やカラオケ装置２等に関する各種情報を蓄積して管理するコンピュータである。また、本実施形態に係るサーバ３は、カラオケ装置２と携帯端末４との間における情報の送受信を中継する役割を有する。
【００３４】
＝＝携帯端末＝＝
携帯端末４は、ネットワークＮを介してカラオケ装置２及びサーバ３と通信可能となっている。携帯端末４は、一般的なスマートフォン、タブレット端末等である。
【００３５】
図４は携帯端末４のハードウェア構成例を示す図である。携帯端末４は、記憶部４１、通信部４２、操作部４３、表示部４４、及び制御部４５を備える。各構成はインターフェース（図示なし）を介してバスＢに接続されている。
【００３６】
記憶部４１は、各種のデータを記憶する記憶装置である。記憶部４１の記憶領域の一部は、楽曲記憶部４１ａとして機能する。楽曲記憶部４１ａは、複数の楽曲を記憶するデータベース（たとえば、ｉＴｕｎｅｓ（登録商標））を構成する。複数の楽曲は、利用者が音楽購入サイト（たとえば、ｉＴｕｎｅｓ  Ｓｔｏｒｅ（登録商標））から購入した楽曲や、利用者が購入したＣＤ等のメディアからダウンロードした楽曲である。すなわち、楽曲記憶部４１ａには、利用者の嗜好に合った楽曲が記憶されている。
【００３７】
通信部４２は、携帯端末４とカラオケ装置２やサーバ３とを接続するためのインターフェースを提供する。操作部４３は、携帯端末４に各種の操作入力を行うためのボタンやＧＵＩである。表示部４４は、各種の情報を表示させる表示画面を提供する。
【００３８】
制御部４５はＣＰＵおよびメモリ（いずれも図示無し）を備える。ＣＰＵは、メモリに記憶されたプログラムを実行することにより各種の機能を実現する。本実施形態に係る判断部４５ａ、特定部４５ｂ及び表示制御部４５ｃは、制御部４５のＣＰＵがメモリに記憶されている動作プログラムを実行することにより実現される。
【００３９】
［判断部］
判断部４５ａは、配信された仮推奨楽曲に相当する楽曲が、楽曲記憶部４１ａに記憶されているかどうかを判断する。
【００４０】
たとえば、配信部２０２が仮推奨楽曲として楽曲Ｂ〜楽曲Ｆの５曲を配信したとする。判断部４５ａは、仮推奨楽曲として選択された楽曲Ｂ〜楽曲Ｆの楽曲名や歌手名に基づいて、利用者Ｘの携帯端末４の楽曲記憶部４１ａ中の楽曲データを検索し、楽曲Ｂ〜楽曲Ｆに相当する楽曲が記憶されているかどうかを判断する。なお、曲名や歌手名は、ひらがな、漢字、アルファベット等の標記や、それらが混在した標記となっている場合がある。この場合、たとえば、同じ楽曲であっても、配信部２０２から配信される楽曲名の標記と楽曲記憶部４１ａに記憶されている楽曲名の標記が一部でもずれていると同じ楽曲として判断されない可能性がある。従って、たとえば、楽曲記憶部４１ａは、想定される様々な標標記を楽曲毎に関連付けて記憶していることが好ましい。
【００４１】
［特定部］
特定部４５ｂは、判断部４５ａの判断結果に基づいて推奨楽曲を特定する。「推奨楽曲」はカラオケ歌唱を行った利用者に対して、次の歌唱を勧める楽曲である。推奨楽曲の特定については、２つのパターンが存在する。ここでは、上記例において、配信された楽曲Ｂ〜楽曲Ｆのうち、楽曲Ｂ及び楽曲Ｄのみが楽曲記憶部４１ａに記憶されている（楽曲Ｃ、楽曲Ｅ、楽曲Ｆは楽曲記憶部４１ａに記憶されていない）と判断した例について述べる。
【００４２】
第１のパターンにおいて、特定部４５ｂは、楽曲記憶部４１ａに記憶されていない曲を推奨楽曲として特定する。すなわち、特定部４５ｂは、判断部４５ａにより楽曲記憶部４１ａに記憶されていないと判断された楽曲Ｃ、楽曲Ｅ、楽曲Ｆを推奨楽曲として特定する。このような楽曲記憶部４１ａに記憶されていない楽曲は、利用者Ｘが普段聴かない楽曲である。一方で、本実施形態の構成により特定された推奨楽曲は、自己が歌唱した楽曲と何らかの関連性があるもの（たとえば、歌唱傾向が似ている利用者Ｙが歌唱している楽曲）でもある。従って、そのような楽曲を利用者Ｘに対して提示（後述）することにより、利用者Ｘは自己の知らない新たな楽曲を知る機会が生まれる。
【００４３】
第２のパターンにおいて、特定部４５ｂは、楽曲記憶部４１ａに記憶されている曲を推奨楽曲として特定する。すなわち、特定部４５ｂは、判断部４５ａにより楽曲記憶部４１ａに記憶されていると判断された楽曲Ｂ及び楽曲Ｄを推奨楽曲として特定する。このような楽曲記憶部４１ａに記憶されている楽曲は、利用者Ｘにとって好みの楽曲であり、普段から耳にしている楽曲である。従って、そのような楽曲を利用者Ｘに対して提示（後述）することにより、次に歌唱する楽曲を選択するのに時間を要することなく、自己の好みに合った歌唱し易い楽曲を選曲することが容易となる。
【００４４】
［表示制御部］
表示制御部４５ｃは、特定部４５ｂで特定された推奨楽曲を表示部４４に表示させる。表示部４４は、「端末側表示部」の一例である。
【００４５】
たとえば上記例において、特定部４５ｂが楽曲Ｃ、楽曲Ｅ、楽曲Ｆを推奨楽曲として特定する。この場合、表示制御部４５ｃは、表示部４４に楽曲Ｃ、楽曲Ｅ、楽曲Ｆ（たとえば、曲名、歌手名）を表示させる。このような表示により、利用者Ｘは自己の音楽的な嗜好を元にした推奨楽曲を把握することが可能となる。
【００４６】
なお、上記第１のパターンの場合、表示制御部４５ｃは、推奨楽曲のダウンロードに関する情報を表示部４４に表示させることも可能である。
【００４７】
第１のパターンの場合、提示される推奨楽曲は、利用者の携帯端末４（楽曲記憶部４１ａ）には記憶されていない。よって、推奨楽曲に興味を持った利用者が当該楽曲を入手したいと考える場合もありうる。
【００４８】
そこで、表示制御部４５ｃは、推奨楽曲のダウンロードに関する情報を表示部４４に表示させる。推奨楽曲のダウンロードに関する情報の表示は、たとえば、推奨楽曲名の横に「ダウンロードアイコン」を表示させることにより行う。表示制御部４５ｃは、利用者が操作部４３を介して当該アイコンを選択すると、楽曲データを購入できるアプリ画面（たとえば、ｉＴｕｎｅｓ  Ｓｔｏｒｅ）が立ち上がるよう予め設定しておく。利用者はアプリ画面上で興味を持った推奨楽曲を購入し、楽曲記憶部４１ａにダウンロードすることができる。このような構成により、利用者は推奨楽曲を直ぐに入手することが可能となる。
【００４９】
また、推奨楽曲の歌唱予約を容易に行う方法も考えられる。たとえば、表示制御部４５ｃは、表示部４４に表示させた推奨楽曲名の横に「予約アイコン」を表示させる。利用者が操作部４３を介してある楽曲の予約アイコンを選択したとする。この場合、表示制御部４５ｃは、通信部４２を介して当該楽曲の予約信号をカラオケ装置２に送信する。カラオケ装置２は、受信した予約信号に基づいて楽曲の予約を行う。このような構成により、推奨楽曲を予約する際、リモコン装置２５等を介して改めて楽曲名等の検索、入力を行わなくとも、簡単に楽曲の予約が可能となる。
【００５０】
＝＝カラオケシステム１の動作について＝＝
次に、図５を参照して本実施形態に係るカラオケシステム１の動作の具体例について述べる。図５は、カラオケシステム１の動作例を示すフローチャートである。
【００５１】
利用者Ｘが、ある楽曲のカラオケ歌唱を行ったとする（カラオケ歌唱。ステップ１０）。
【００５２】
選択部２０１は、ステップ１０におけるカラオケ歌唱に応じて仮推奨楽曲を選択する（仮推奨楽曲の選択。ステップ１１）。配信部２０２は、ステップ１１で選択した仮推奨楽曲を利用者Ｘの携帯端末４に配信する（仮推奨楽曲の配信。ステップ１１）。
【００５３】
判断部４５ａは、ステップ１１で配信された仮推奨楽曲に相当する楽曲が、楽曲記憶部４１ａに記憶されているかどうかを判断する（仮推奨楽曲の判断。ステップ１２）。特定部４５ｂは、ステップ１２の判断結果に基づいて推奨楽曲を特定する（推奨楽曲の特定。ステップ１３）。表示制御部４５ｃは、ステップ１３で特定された推奨楽曲を表示部４４に表示させる（推奨楽曲の表示。ステップ１４）。
【００５４】
このように本実施形態に係るカラオケシステム１によれば、仮推奨楽曲のうち、利用者の携帯端末に記憶されている楽曲を元にして推奨楽曲を提示することができる。すなわち、利用者に対して、本人の音楽的嗜好を元にした推奨楽曲を提示することができる。
【００５５】
特に、携帯端末に記憶されていない楽曲を推奨楽曲として提示することにより、利用者に対して、普段聴かない新たな楽曲を知る機会を提供することができる。また、推奨楽曲をダウンロードするための情報を提示することにより、実際に新たな楽曲に触れる機会を提供することができる。
【００５６】
逆に、携帯端末に記憶されている楽曲を推奨楽曲として提示することにより、利用者が次にカラオケ歌唱を行う楽曲の選曲に悩むことなく、自分の歌唱し易い楽曲を選択する機会を提供することができる。
【００５７】
＜第２実施形態＞
図６〜図８を参照して、第２実施形態に係るカラオケシステム１について説明する。本実施形態では、推奨楽曲をカラオケ装置２側で提示する構成について説明を行う。第１実施形態と同様の構成については詳細な説明を省略する。
【００５８】
＝＝カラオケ装置＝＝
図６は本実施形態に係る装置本体２０のハードウェア構成例を示す図である。本実施形態に係る選択部２０１、配信部２０２、及び表示制御部２０３は、制御部２０ａのＣＰＵがメモリに記憶されている動作プログラムを実行することにより実現される。
【００５９】
表示制御部２０３は、装置側表示部に各種情報を表示させる。具体例として、表示制御部２０３は、携帯端末４から送信された推奨楽曲（後述）の曲名等を、たとえばリモコン装置２５の表示画面に表示させる。表示装置２３やリモコン装置２５は、「装置側表示部」の一例である。
【００６０】
＝＝携帯端末＝＝
図７は携帯端末４のハードウェア構成例を示す図である。本実施形態に係る判断部４５ａ、特定部４５ｂ、及び推奨楽曲送信部４５ｄは、制御部４５のＣＰＵがメモリに記憶されている動作プログラムを実行することにより実現される。
【００６１】
［推奨楽曲送信部］
推奨楽曲送信部４５ｄは、特定部４５ｂで特定された推奨楽曲をカラオケ装置２に送信する。
【００６２】
たとえば第１実施形態の例において、特定部４５ｂが楽曲Ｃ、楽曲Ｅ、楽曲Ｆを推奨楽曲として特定したとする。この場合、推奨楽曲送信部４５ｄは、楽曲Ｃ、楽曲Ｅ、楽曲Ｆを示す情報（たとえば、曲名、歌手名）をカラオケ装置２に送信する。
【００６３】
＝＝カラオケシステム１の動作について＝＝
次に、図８を参照して本実施形態に係るカラオケシステム１の動作の具体例について述べる。図８は、カラオケシステム１の動作例を示すフローチャートである。なお、ステップ２０〜ステップ２３までは、第１実施形態のステップ１０〜ステップ１３と同様であるため詳細な説明を省略する。
【００６４】
推奨楽曲送信部４５ｄは、ステップ２３で特定された推奨楽曲をカラオケ装置２に送信する（推奨楽曲の送信。ステップ２４）。
【００６５】
表示制御部２０３は、ステップ２４で送信された推奨楽曲をリモコン装置２５の表示画面等に表示させる（推奨楽曲の表示。ステップ２５）。
【００６６】
このように本実施形態に係るカラオケシステム１によれば、利用者の携帯端末に記憶されている楽曲を元にして特定した推奨楽曲をカラオケ装置２側で提示することができる。
【００６７】
＜その他＞
上記実施形態の構成はコンピュータ（携帯端末４）で実行されるプログラムとして構成することも可能である。当該プログラムは、非一時的なコンピュータ可読媒体（non-transitory computer readable medium with an executable program thereon）に記憶させ、コンピュータで読み出して実行することができる。なお、非一時的なコンピュータの可読媒体の例は、磁気記録媒体（例えばフレキシブルディスク、磁気テープ、ハードディスクドライブ）、ＣＤ−ＲＯＭ（Read Only Memory）等がある。或いは、当該プログラムはネットワークＮを介してサーバ３からダウンロードすることも可能である。
【００６８】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６９】
１  カラオケシステム
２  カラオケ装置
４  携帯端末
２０１  選択部
２０２  配信部
４１ａ  楽曲記憶部
４５ａ  判断部
４５ｂ  特定部
４５ｃ  表示制御部
【図１】
0006630628.tif 000002
【図２】
0006630628.tif 000003
【図３】
0006630628.tif 000004
【図４】
0006630628.tif 000005
【図５】
0006630628.tif 000006
【図６】
0006630628.tif 000007
【図７】
0006630628.tif 000008
【図８】
0006630628.tif 000009